(57)【要約】  ディジタルシネマ複合館における各再生システムに対して一意的な識別子を特定するために用いる操作員が操作する調整用つまみを有する再生システム内の装置によって、ディジタルシネマ再生システムの設置、保守、及び運営が容易になる。システムの識別子は、装置のアドレスが自動的に割り付けられる再生システムに対してネットワークアドレスのセットを定めるために用いられる。それに続く再生システム内の装置間の通信において、割り付けられた装置のアドレスが用いられる。これらの通信は、装置の動作を変更するため、及び装置に特定の役務の存在と必要性を公表させるために用いられる。
2008506281.tif 000002
【特許請求の範囲】
【請求項１】
ディジタルシネマ再生システムのネットワークにより相互に接続された複数の装置内のサーバー装置を操作する方法であって、
運転員が操作する１以上の調整用つまみにより特定された、ディジタルシネマの上演を行う装置を示す識別子を受信するステップと、
前記識別子に応答してネットワーク装置アドレスのセットを定めるステップと、
前記ネットワーク装置アドレスのセットから１つのアドレスを選択し、前記複数の装置内の１つのクライアント装置に前記選択したネットワーク装置アドレスを割り当て、前記選択したネットワーク装置アドレスの通知を前記ネットワークを介して前記クライアント装置に送信するステップと、
前記ディジタルシネマの上演の１以上の機能を制御するために、前記ネットワークを介して前記クライアント装置に操作修正指示を与えるために選択した前記アドレスを用いるステップと、
を具備することを特徴とする方法。
【請求項２】
前記クライアント装置から前記ネットワークを介して前記識別子を伝達する通知を受信するステップと、
前記選択したネットワーク装置アドレスの通知を前記ネットワークを介して前記クライアント装置に送信するために暫定的なアドレスを用いるステップと、
を具備することを特徴とする請求項１に記載の方法。
【請求項３】
前記複数の装置内の他のクライアント装置に前記ネットワークを介して前記識別子の通知を送信するステップを具備することを特徴とする請求項１に記載の方法。
【請求項４】
前記複数の装置内の制御演算装置から該装置の特性を識別する通知を前記ネットワークを介して受信するステップと、
前記特性と前記制御演算装置のそれぞれのネットワーク装置アドレスとを結びつけるステップと、
前記特性を有する装置のアドレスに対する要求を前記ネットワークを介して受信するステップと、
を具備することを特徴とする請求項１に記載の方法。
【請求項５】
前記ディジタルシネマ再生システム内の前記複数の装置を結びつける前記ネットワークは、複数のディジタルシネマ再生システムを具備するディジタルシネマネットワークの一部をなすサブネットワークを構成し、前記サーバー装置は、前記サブネットワークと前記ディジタルシネマネットワークの他の部分との間に通信リンクを提供し、前記方法は、前記サブネットワークとは別の前記ディジタルシネマネットワークの一部から受け取った要求には応答しないで、前記サブネットワークと接続した前記複数の装置内の１つの装置からの要求に応答して、前記選択したネットワーク装置アドレスの選択、割付、及び伝送を行うステップを具備することを特徴とする請求項１に記載の方法。
【請求項６】
前記ディジタルシネマ再生システム内の前記複数の装置を結びつける前記ネットワークは、複数のディジタルシネマ再生システムを具備するディジタルシネマネットワークの一部をなすサブネットワークを構成し、前記サーバー装置は、前記サブネットワークと前記ディジタルシネマネットワークの他の部分との間に通信リンクを提供し、前記方法は、ネットワーク装置アドレスへの要求を阻止するが、前記サブネットワークと前記サブネットワークとは別の前記ディジタルシネマネットワークの一部との間の他の形式の要求の少なくとも一部は転送することを特徴とする請求項１に記載の方法。
【請求項７】
ディジタルシネマ再生システム内のネットワークにより相互に接続された複数の装置内のクライアント装置を操作する方法であって、
ディジタルシネマの上演を行う装置を指定するために運転員が操作する１以上の調整用つまみから識別子を受信するステップと、
前記複数の装置内のサーバー装置に前記ネットワークを介して識別子を伝達する通知を送信するステップと、
ネットワーク装置アドレスを伝達する通知を前記ネットワークを介して前記サーバー装置から受け取るために暫定的なアドレスを用いるステップと、
前記ネットワークから指令を受信するために前記ネットワーク装置アドレスを用い、該指令に応答して、前記ディジタルシネマの上演の１以上の機能を制御するために運転操作の修正を行うステップと、
を具備することを特徴とする方法。
【請求項８】
前記ネットワークからアドレスを要求するための指令を受信するステップと、
前記指令に応答して前記ネットワークを介して前記アドレスの要求を送信するステップと、
前記ネットワーク装置アドレスの通知を前記ネットワークから受信するステップと、
を具備することを特徴とする請求項７に記載の方法。
【請求項９】
複数の装置内の、１つの特性を有する装置のアドレスに対してネットワークを介して要求を送信するステップと、
前記特性を有する装置のネットワーク装置アドレスを伝達する通知をネットワークから受信するステップと、
前記複数の装置内の１つの装置に所定の機能を実行させる装置にネットワークを介して要求を送信するために前記ネットワーク装置アドレスを用いるステップと、
を具備することを特徴とする請求項７に記載の方法。
【請求項１０】
前記クライアント装置の１以上の特性を識別する通知を前記ネットワークを介して送信するステップを具備することを特徴とする請求項７に記載の方法。
【請求項１１】
ディジタルシネマ再生システムのネットワークにより相互に接続された複数の装置内のサーバー装置を操作するための方法を遂行する装置により実行可能な命令のプログラムを伝達する媒体であって、該方法は、
運転員が操作する１以上の調整用つまみにより特定された、ディジタルシネマの上演を行う装置を示す識別子を受信するステップと、
前記識別子に応答してネットワーク装置アドレスのセットを定めるステップと、
前記ネットワーク装置アドレスのセットから１つのアドレスを選択し、前記複数の装置内の１つのクライアント装置に前記選択したネットワーク装置アドレスを割り当て、前記選択したネットワーク装置アドレスの通知を前記ネットワークを介してクライアント装置に送信するステップと
前記ディジタルシネマの上演の１以上の機能を制御するために、前記ネットワークを介してクライアント装置に操作修正指示を与えるために選択した前記アドレスを用いるステップと、
を具備することを特徴とする媒体。
【請求項１２】
前記方法は、
前記クライアント装置から前記ネットワークを介して前記識別子を伝達する通知を受信するステップと、
前記選択したネットワーク装置アドレスの通知を前記ネットワークを介して前記クライアント装置に送信するために暫定的なアドレスを用いるステップと、
を具備することを特徴とする請求項１１に記載の媒体。
【請求項１３】
前記方法は、前記複数の装置内の他のクライアント装置に前記ネットワークを介して前記識別子の通知を送信するステップを具備することを特徴とする請求項１１に記載の媒体。
【請求項１４】
前記方法は、
前記複数の装置内の制御演算装置から該装置の特性を識別する通知を前記ネットワークを介して受信するステップと、
前記特性と前記制御演算装置のそれぞれのネットワーク装置アドレスとを結びつけるステップと、
前記特性を有する装置のアドレスに対する要求を前記ネットワークを介して受信するステップと、
を具備することを特徴とする請求項１１に記載の媒体。
【請求項１５】
前記ディジタルシネマ再生システム内の前記複数の装置を結びつける前記ネットワークは、複数のディジタルシネマ再生システムを具備するディジタルシネマネットワークの一部をなすサブネットワークを構成し、前記サーバー装置は、前記サブネットワークと前記ディジタルシネマネットワークの他の部分との間に通信リンクを提供し、前記方法は、前記サブネットワークとは別の前記ディジタルシネマネットワークの一部から受け取った要求には応答しないで、前記サブネットワークと接続した前記複数の装置内の１つの装置からの要求に応答して、前記選択したネットワーク装置アドレスの選択、割付、及び伝送を行うステップを具備することを特徴とする請求項１１に記載の媒体。
【請求項１６】
前記ディジタルシネマ再生システム内の前記複数の装置を結びつける前記ネットワークは、複数のディジタルシネマ再生システムを具備するディジタルシネマネットワークの一部をなすサブネットワークを構成し、前記サーバー装置は、前記サブネットワークと前記ディジタルシネマネットワークの他の部分との間に通信リンクを提供し、前記方法は、ネットワーク装置アドレスへの要求を阻止するが、前記サブネットワークと前記サブネットワークとは別の前記ディジタルシネマネットワークの一部との間の他の形式の要求の少なくとも一部は転送することを特徴とする請求項１１に記載の媒体。
【請求項１７】
ディジタルシネマ再生システム内のネットワークにより相互に接続された複数の装置内のクライアント装置を操作する方法を遂行する装置により実行可能な命令のプログラムを伝達する媒体であって、該方法は、
ディジタルシネマの上演を行う装置を指定するために運転員が操作する１以上の調整用つまみから識別子を受信するステップと、
前記複数の装置内のサーバー装置に前記ネットワークを介して識別子を伝達する通知を送信するステップと、
ネットワーク装置アドレスを伝達する通知を前記ネットワークを介して前記サーバー装置から受け取るために暫定的なアドレスを用いるステップと、
前記ネットワークから指令を受信するために前記ネットワーク装置アドレスを用い、該指令に応答して、前記ディジタルシネマの上演の１以上の機能を制御するために運転操作の修正を行うステップと、
を具備することを特徴とする媒体。
【請求項１８】
前記方法は、
前記ネットワークからアドレスを要求するための指令を受信するステップと、
前記指令に応答して前記ネットワークを介して前記アドレスの要求を送信するステップと、
前記ネットワーク装置アドレスの通知を前記ネットワークから受信するステップと、
を具備することを特徴とする請求項１７に記載の媒体。
【請求項１９】
前記方法は、
複数の装置内の、１つの特性を有する装置のアドレスに対してネットワークを介して要求を送信するステップと、
前記特性を有する装置のネットワーク装置アドレスを伝達する通知をネットワークから受信するステップと、
前記複数の装置内の１つの装置に所定の機能を実行させる装置にネットワークを介して要求を送信するために前記ネットワーク装置アドレスを用いるステップと、
を具備することを特徴とする請求項１７に記載の媒体。
【請求項２０】
前記方法は、前記クライアント装置の１以上の特性を識別する通知を前記ネットワークを介して送信するステップを具備することを特徴とする請求項１７に記載の媒体。
【発明の詳細な説明】
【技術分野】
【０００１】
本発明は、一般的にはディジタルシネマに関し、さらに詳細には、ディジタルシネマシステムの設備のネットワークにおける使用方法及び装置に関する。
【背景技術】
【０００２】
「ディジタルシネマ」の概念には、観客席又は劇場でのディジタル技術を用いた聴覚／視覚素材を、製作、配給、上演することが含まれる。ディジタルシネマプログラムは一般に、ＤＶＤ−ＲＯＭ、テープ、あるいはコンピュータハードディスクドライブのような物理媒体上に、圧縮され暗号化された形態で配信され、原則的に、衛星又は他のブロードバンド通信経路を用いて電子的伝送手段によって配信される。
【０００３】
ディジタルシネマ再生システムは、ディジタルシネマの上演を行うのに必要なプロセスを制御する。これらのプロセスには、ディジタルシネマプログラムの受信と保存を行うステップ、それを伸張し解読して、ディジタルコンテンツデコーダで処理できるディジタルビデオデータストリーム及びオーディオデータストリームにするステップ、このデータストリームのコンテンツをデコーディングしてビデオディスプレイ及びオーディオ増幅器を作動させるために用いる信号を得るステップ、及び劇場の観客席におけるカーテンや劇場照明のような他の装置を制御するステップが含まれる。
【０００４】
標準的なディジタルシネマ再生システムには、コンピュータ同士を相互に接続するのに用いられる多くのネットワークに類似する電子的ネットワークを経由して相互に通信するいくつかの装備が含まれる。これらのネットワークはしばしば、伝送制御プロトコル/インターネットプロトコル（ＴＣＰ／ＩＰ）として知られる通信プロトコルを用いて、ＩＥＥＥ８０２．３標準に記載された、イーサネットとして一般に知られる標準に準拠する。ネットワークとプロトコルをこのように選択することで、電気的論理的インターフェースとそれを用いるのに必要な手続を容易に利用することができ、かつ比較的低価格となるので、ディジタルシネマ再生システムの実施が容易になる。
【０００５】
残念ながら、この形式のネットワーク設置し、保守し、そして運営するのに必要な知識と技術は、一般的に劇場の装備を設置し、保守し、そして運営してきた人々には普通見られない。これに必要な知識と技術を持つ人は少なく、一般に高い給料が必要となる。このことは、ディジタルシネマシステムを設置するのに必要なコストと時間の増大をもたらし、しばしば、システムを使用するときに起こる異常に対応し復旧させるのに必要なコストと時間の増大をもたらしてきた。その結果、ディジタルシネマ再生システムの設置、保守、及び操作を簡単かつ安価に達成させることができるほど急速に、ディジタルシネマが劇場のオーナに受け入れられることはなかった。
【発明の開示】
【０００６】
ディジタルシネマ再生システムにおける装備のネットワークの設置、保守、及び運営を容易にすることが本発明の１つの目的である。
【０００７】
本発明の１形態によれば、ディジタルシネマ再生システムのサーバー装置は、運転員が操作する１以上の調整用つまみにより特定された、ディジタルシネマの上演を行う装置を示す識別子を受信し、この識別子に応答してネットワーク装置アドレスのセットを定め、このネットワーク装置アドレスのセットから１つのアドレスを選択し、複数の装置内の１つのクライアント装置に選択したネットワーク装置アドレスを割り当て、選択したネットワーク装置アドレスの通知をネットワークを介してクライアント装置に送り、選択したアドレスを用いて、ディジタルシネマの上演の１以上の機能を制御するための操作を修正するために、ネットワークを介してクライアント装置に指示を与える。
【０００８】
本発明の他の形態によれば、ディジタルシネマ再生システムのクライアント装置は、運転員が操作する１以上の調整用つまみからディジタルシネマの上演を行う装置を示す識別子を受信し、複数の装置中の１つのサーバー装置にこの識別子を伝達するための通知をネットワークを介して送り、暫定的なアドレスを用いて、ネットワーク装置アドレスを伝達するための通知をネットワークを介してサーバー装置から受信し、このネットワーク装置アドレスを用いて、このネットワークから指令を受け取り、これに応答して、ディジタルシネマの上演の１以上の機能の制御するための操作を修正する。
【０００９】
本発明のさまざまな特徴とその好ましい実施の形態は、以下の説明と、図中類似の参照番号で類似の要素を示した添付図を参照することによりよく理解できるであろう。以下の説明と図面の内容は例示のためのものであり、本発明の技術範囲を限定するためのものと解釈すべきでない。
【発明を実施するための最良の形態】
【００１０】
［序論］
図１は、複数の再生システムを有するディジタルシネマネットワークを示す。一般的なシステムでは、ディジタルシネマ複合館の各観客席に再生システムを持っている。しかし、例えば、１以上のスクリーンを持つ１つの観客席に複数の再生システムを具備させることを含む多種多様な方法でネットワークと装置とを組み立て設置することができる。後者の構成では、１つの観客席に対して同時に複数のディジタルシネマプログラムを上演することが可能である。
【００１１】
図１を参照すると、劇場管理サーバー１０、ゲートウェイ３０、及び再生システム４０ａ，４０ｂが劇場ネットワークスイッチ２０を用いネットワークによりお互いに接続されている。ここでは、ギガビットイーサネット又は１０００ＢＡＳＥ−Ｔネットワークを用いることが好ましい。劇場管理サーバー１０は、ディジタルシネマネットワークにおける再生システム４０ａ，４０ｂの管理及び全体的な制御を含むさまざまな業務を行う。これらの業務の例を以下に簡単に説明する。ゲートウェイ３０は任意的なものであり、ディジタルシネマネットワークと、衛星通信リンク３３又は地上の広帯域ネットワーク３７のような１以上の通信経路との間の通信リンクを提供する。あるいは、ゲートウェイをスイッチ２０に組み込み、単一のスイッチ／ゲートウェイ又はルータ装置としてもよい。通信経路は、シネマ販売促進素材及びディジタルシネマプログラム復号化キーのような情報を配信するために用いることができる。仮想プライベートネットワーキング又は同様の機能を、復号化キーのような細心の注意が必要な情報を保護するために用いることができる。
【００１２】
［劇場管理サーバー］
一般的な設備において、劇場管理サーバー１０は、劇場の運用及び管理のために重要な業務を行うが、本発明に本質的な業務又は機能の遂行を行う必要はない。１つの実施の形態によれば、劇場管理サーバー１０は、再生システムを含む劇場システムと装備の構築及びテストができるようにすること、劇場システムの操作について記述した情報を集めること、システムの故障の原因を診断すること、メディアコンテンツと復号化キーを受信し管理すること、メディアコンテンツを組み立てて映画上映又は「ショー」にすること、このショーの上演を計画し制御すること、及び、ディジタル著作権管理（ＤＲＭ）を含むメディアコンテンツのライセンスの管理の補助すること、についての業務を行う。
【００１３】
［再生システム］
ディジタルシネマネットワークの好ましい実施の形態において、各再生システム４０は、ネットワーク中の他のすべての再生システムとは機能的に独立している。それぞれの再生システム４０は、他の再生システムの装備から業務の提供を受けることなくディジタルシネマの上演を行うことができる。それぞれの再生システムは、操作員がそれぞれの再生システムに一意的な識別子を特定することのできる、例えば指回し式円形板又はロータリースイッチのような、操作員が操作する１以上の調整用つまみを具備している。この操作員が操作する調整用つまみは、各再生システムにおける装置のネットワークＩＰアドレスの割り付け制御のために用いられる。
【００１４】
この再生システムはさまざまな方法で実施することができる。その方法について以下の段落で説明する。
【００１５】
図２に示した概略ブロック図は、ショーストア（ｓｈｏｗ  ｓｔｏｒｅ）４１、ショープレイヤー（ｓｈｏｗ  ｐｌａｙｅｒ）４２、ディスプレイ４３、オーディオプロセッサ４４、オートメーションインターフェース４５、及びスイッチ４９を有する再生システム４０の１つの実施の形態を示している。スイッチ４９は、ショープレイヤー４２を除くこれらのすべての装置間のネットワーク接続を行う。通信経路５１，５３，５４は、ショープレイヤー４２を、ショーストア４１、ディスプレイ４３、及びオーディオプロセッサ４４に直接接続させる。
【００１６】
ショーストア４１は、通信経路５２を介してネットワークスイッチ２０と接続され、１以上のディジタルシネマプログラムを受信し保存するためのファイルサーバーとしての役割を果たす。ショーストア４１は、ショーの構成、ショーのスケジュール、及び、認可とＤＲＭと暗号化とについての情報を保存する。好ましい実施の形態では、ショーストア４１はまた、ダイナミックホストコンフィグレーションプロトコル（ＤＨＣＰ）サーバーとしての役割を果たし、ネットワークＩＰアドレスを、再生システム４０における装置へ割付ける制御を行い、再生システムにおける業務遂行を円滑にするために、サービスローケーションプロトコル（ＳＬＰ）ユーザーとサービスエージェントを実行することができる。ＤＨＣＰとＳＬＰとは、それぞれ、インターネットリクエストフォアコメンツ（ＲＦＣ）１５４１及びＲＦＣ２１６５に記載されている。ショーストア４１は、保存されたプログラムから情報を抽出し、抽出した情報を、それに続く処理を容易にするエンコードされた表現に再フォーマットし、ショープレイヤー４２にこのエンコードされた表現を提供する。このエンコードされた情報は、ショーストア４１からショープレイヤー４２に、これら２つの装置を直接接続する専用の１００ＢＡＳＥ−Ｔイーサネット経路のような広帯域通信経路５１により伝達されることが好ましい。代表的な実施の形態において、エンコードされた表現により、国際標準化機構（ＩＳＯ）のモーションピクチャーエキスパーツグループ（ＭＰＥＧ）文書ＩＳＯ／ＩＥＣ１３８１８−１から１３８１８−９に記載されたＭＰＥＧ−２標準、又は、ＩＳＯ／ＩＥＣ１５４４４：２０００に記載されたＪＰＥＧ−２０００標準のような標準に従いエンコードされたビデオ情報が伝達され、パルスコードモジュレーション（ＰＣＭ）データ、メタオーディオエンハンスドＰＣＭデータ、又はメタオーディオＤｏｌｂｙ‐Ｆのようなエンコーディングプロセスにより生成されたデータにエンコードすることのできるオーディオ情報が伝達される。適切なショーストア４１の一例としてサンフランシスコ州、カリフォルニアのドルビーラボラトリーズから入手可能なドルビーショーストアＤＳＳ１００があげられる。
【００１７】
ショープレイヤー４２は、それぞれディスプレイ４３とオーディオプロセッサ４４に提供されるディジタルビデオ情報とディジタルオーディオ情報を得るために、このエンコードされた表現をデコードするディジタルコンテンツデコーダである。このエンコードされた表現は暗号化されていてもよい。これが暗号化されている場合は、ショープレイヤー４２は、ビデオコンテンツを解読するために適切なビデオ-コンテンツ復号化キーを用いる。ＲＳＡ暗号化標準ＰＫＣＳ#１ｖ２．１又はＩＥＥＥ１３６３−２０００標準に記載されているような技術により提供されるキー生成及び交換を伴う連邦情報処理標準（ＦＩＰＳ）公開１９７に記載されたような技術を用いることが好ましい。ショーストア４１は劇場管理サーバー１０から適切なビデオ-コンテンツ復号化キーを受け取り、劇場管理サーバーはこのキーを保存し、その後必要に応じてショープレイヤー４２に送信するか、あるいは、保存せずにこのキーをショープレイヤー４２に送信する。
【００１８】
一実施の形態によれば、ショーストア４１は、ショープレイヤー４２と一意的に関連付けられたパブリックキーを用いて暗号化されたビデオ-コンテンツ復号化キーの暗号化バージョンを受け取る。ショープレイヤー４２は、プライベートキーを用いて暗号化されたビデオ-コンテンツ復号化キーを解読し、このビデオ-コンテンツ復号化キーを用いて必要に応じてビデオ情報を解読してデコードし、必要ならば、続いてディスプレイ４３に送信するために、このデコードされたビデオ情報を暗号化する。暗号化は、映画テレビ技術者協会（ＳＭＰＴＥ）ＤＣ２８．４標準案のような標準に準拠することができ、あるいは、ディスプレイ４３と互換性のあるメーカー独自の処理に準拠することもできる。適切なショープレイヤー４２の一例として、サンフランシスコ州、カリフォルニアのドルビーラボラトリーズから入手可能なドルビーショーストアＤＳＰ１００があげられる。
【００１９】
ディスプレイ４３は、ショープレイヤー４２からデコードされたビデオ情報を受け取り、必要なら情報を解読し、見るためのビデオ情報を表示する。ディスプレイは、基本的に、液晶ディスプレイ（ＬＣＤ）又はスクリーンに像を投影することのできるプロジェクター又は他のディスプレイ媒体のようなビデオ情報を表示することのできるどんな装置でもよい。このデコードされたビデオ情報は、ＳＭＰＴＥ２９２Ｍ標準に記載されたような高解像度シリアルデータインターフェース（ＨＤ−ＳＤＩ）に準拠した形式で、広帯域通信経路５３によりショープレイヤー４２から直接ディスプレイ４３に送られることが好ましい。適切なディスプレイ４３の一例として、ベルギーのBarco  N.V.,  Pres.  Kennedypark  35,  8500  Kortrijkから入手可能なモデルＤＰ１００プロジェクターがあげられる。
【００２０】
オーディオプロセッサ４４は、ショーストア４２からオーディオ情報を受け取り、必要ならこのオーディオ情報をデコードし、ラウドスピーカで出力するために増幅することのできる信号を生成するために要求に応じてフィルタリングとイコライゼーションを行う。適切なオーディオプロセッサ４４の一例として、サンフランシスコ州、カリフォルニアのドルビーラボラトリーズから入手可能なシネマサウンドプロセッサモデルＣＰ６５０があげられる。このオーディオ情報は、ＳＭＰＴＥ２７６Ｍ標準に準拠した形式で、２つの装置を直接接続する広帯域通信経路５４によりショープレイヤー４２から直接オーディオプロセッサ４４に送られることが好ましい。
【００２１】
オートメーションインターフェース４５は、スイッチ４９を介して受信した命令に応答して、劇場照明、カーテン、及び劇場オートメーションシステムにおける他の要素を制御するための信号を生成する。適切なオートメーションインターフェースとして、サンフランシスコ州、カリフォルニアのドルビーラボラトリーズから入手可能なネットワーク  オートメーションインターフェースＮＡ１０があげられる。
【００２２】
スイッチ４９は、再生システム４０のネットワーク内の交信を切替える。好ましい実施の形態において、これは、１０００ＢＡＳＥ−Ｔネットワークのような１０００Ｍｂｓ又はそれ以上のネットワークをサポートする。
【００２３】
図３に示した概略ブロック図には、ショープレイヤー４２とショーストア４１との間の専用の広帯域通信５１がショープレイヤー４２へのネットワーク接続に置き換えられている点を除いて図２に示した実施の形態に類似する、再生システム４０のもう１つの実施の形態が示されている。この実施の形態では、スイッチ４９に対してさらに広い帯域幅を必要とさせる。
【００２４】
図４に示した概略ブロック図には、ショーストア４１とショープレイヤー４２とが、ショープロセッサ４６として示されているような同じ装置に組み込まれている点を除いて図２に示した実施の形態に類似する、再生システム４０のさらにもう１つの実施の形態が示されている。この実施の形態では、図２で示された実施の形態とほぼ同程度の帯域幅がネットワークとスイッチ４９に必要とされる。
【００２５】
図５に示した概略ブロック図には、ショープレイヤー４２とディスプレイとが、ディスプレイプロセッサ４７として示されているような同じ装置に組み込まれている点を除いて図２に示した実施の形態に類似する、再生システム４０のもう１つの実施の形態が示されている。この実施の形態では、図２で示された実施の形態とほぼ同程度の帯域幅がネットワークとスイッチ４９に必要とされる。
【００２６】
［再生システムの動作］
各再生システムの１つの装置が、各再生システムを一意的に特定するのに適した、操作員が操作する１以上の調整用つまみを有することが好ましい。例えば、ショープレイヤー４２は、再生システムに同一性を明確にさせるための操作をおこなう１以上の指回し式円形板又はロータリースイッチを持つことができる。結局、各再生システムにおける操作員が操作する調整用つまみにより、ディジタルシネマの上演を行うそれぞれの再生システムのディスプレイ４３又はディスプレイ装置が特定される。操作員が操作する調整用つまみはディスプレイ４３自身に取り付けることができるが、上演現場に置く必要のない装置上にこれらの調整用つまみを取り付けたほうが便利なこともある。このことにより、劇場の複合館のすべての再生システムに対する、操作員が操作する調整用つまみを取り付けた装置を中央に置くことができる。例えばショーストア４１とショープレイヤー４２とは、必要なら中央に置いてもよい。以下の例では、操作員が操作する調整用つまみはショープレイヤー４２に置くことを前提とする。
【００２７】
ショーストア４１は、ネットワークＩＰアドレスをそれぞれの再生システムの機器に割り付けることについての制御を行う。これは、図６に示したステップによる方法により実行する。これらのステップを実行する１つの方法は以下の通りである。
【００２８】
ステップ１０１：
ショーストアとショープレイヤーとを開始する。これらの装置がプログラム制御プロセッサに組み込まれているならば、これは、プロセッサを「ブートする」ことにより行われる。
【００２９】
ステップ１０２：
ショーストアは、操作員が操作する調整用つまみにより特定された識別子を取得する。これはさまざまな方法により行うことができる。ひとつの方法では、ショーストアとショープレイヤーとがそれぞれ、１９２．１６８．０．１と１９２．１６８．０．２のような暫定的なネットワークＩＰアドレスを仮定する。この暫定的なアドレスを用いて、操作員が操作する調整用つまみにより特定された識別子を要求する指令をショープレイヤーに送信する。この要求に応答して、ショープレイヤーは、操作員が操作する調整用つまみにより特定された識別子を返送する。
【００３０】
ステップ１０３：
この識別子を用いてショーストアは、装置にアドレスを割り付けるネットワークＩＰアドレスのセットを定める。これはさまざまな方法により行うことができる。ひとつの方法によれば、アドレスのセットを１９２．１６８．ＩＤ．＃＃＃で定義されるＩＰアドレス空間に設定する。ここで、ＩＤは操作員が操作する調整用つまみにより特定された識別子であり、＃＃＃は０から２５５までの任意の数値である。この方法を用いる場合、ＩＤは、上記ステップ１０２で用いた暫定的なアドレスと抵触しないようにゼロ以外の数値する必要がある。好ましい実施の形態では、ショーストアは、アドレスのセットから選択した１つのネットワークＩＰアドレスを自分自身に割り付ける。
【００３１】
ステップ１０４：
ショーストアは、このアドレスのセットから選択したもう１つのネットワークＩＰアドレスをショープレイヤーに割り付ける。これは、ＩＰアドレスを割り付けるためにショープレイヤーにＤＨＣＰサービスを要求させることにより行うことができる。ショーストアは、アドレスのセットからそれぞれのアドレスを選択することにより、再生システムネットワーク中の他の装置にネットワークＩＰアドレスを割り付けることができる。これは、ＩＰアドレスを割り付けるために他の装置にＤＨＣＰサービスを要求させることにより行うことができる。
【００３２】
ステップ１０５：
その後の再生システムにおける機器間の通信は割り付けられたネットワークＩＰアドレスを用いて行うことができる。この通信には、第１の装置から第２の装置への指令が含まれ、それにより第２の装置の運転状態を修正し、１以上のディジタルシネマの上演作品を制御する。
【００３３】
それぞれの再生システム４０のショーストア４１は、それぞれの再生システムにおける装置とディジタルシネマネットワークの他の場所における他の装置との間の双方向通信リンクを提供するネットワークルータとしての役割を果たすことができる。しかし、ショーストアは、再生システムの外部のネットワークＩＰアドレスに要求を転送しないことが望ましい。加えて、それぞれの再生システムにおけるショーストアは、それぞれの再生システムの外部のディジタルシネマネットワーク内の装置にネットワークＩＰアドレスを割り付けないことが好ましい。
【００３４】
各システム内の装置にさまざまな役務の必要性と可能性とを相互に知らせることにより、再生システムの設置、保守、及び運営が容易になる。例えば、ショーストア４２は、観客席のカーテンや照明のような劇場の設備を制御することのできるオートメーションインターフェースについての役務が必要であることを知らせることができる。それに応答して、同じ再生システム又は別の再生システムは、要求された役務を提供することができることを知らせる返答をしてもよい。この返答には、その可能性をすべて記載した他の情報とともに動的に割り付けられたネットワークＩＰアドレスを含ませることができる。この形態は先に説明したＳＬＰを用いて実施してもよい。
【００３５】
［実施］
本発明のさまざまな特徴を組み込んだ装置は、コンピュータ又は汎用コンピュータに見られる構成要素と同様な構成要素と結合したディジタル信号プロセッサ（ＤＳＰ）回路のような専用化した構成要素を含む他の装置により実行させるソフトウェアを含むさまざまな方法で実施することができる。図７は、本発明の特徴を実施するために用いることのできる装置の概略ブロック図である。プロセッサ７２は計算手段を提供する。ＲＡＭ７３は処理のためのプロセッサ７２により用いられるランダムアクセスメモリ（ＲＡＭ）のシステムである。ＲＯＭ７４は、装置をどうさせるのに必要なプログラムを保存するための、及び、おそらく本発明のさまざまな特徴を実行することのできるリードオンリーメモリ（ＲＯＭ）のような固定記憶の形態を示す。Ｉ／Ｏ制御７５は、通信チャンネル７６，７７を用いて信号を受信し送信するインターフェース回路を示す。図示の実施の形態では、すべての主要なシステム構成要素は、２以上の物理的または論理的バスを表すバス７１に接続されているが、バス構成は本発明を実施するためにからなずしも必要ではない。
【００３６】
汎用コンピュータシステムにより実施される実施の形態では、キーボードやマウスやディスプレイのような装置とのインターフェースのための構成要素、及び、磁気テープ又はディスク或いは光学的記憶媒体のような記憶媒体を有する記憶装置７８を制御するための構成要素を付加的に含めることができる。この記憶媒体はオペレーティングシステムに対する指令プログラム、ユーティリティープログラム、及びアプリケーションプログラムを記憶するために使うことができ、また、本発明のさまざまな特徴を実行するプログラムを含有することができる。このコンピュータシステムはハードウェア的な故障に対して耐性があることが好ましい。このためのひとつの方法は、２重電源と冗長記憶装置のような冗長な構成要素を用いること、及び、異常を検出し対応することのできるオペレーションシステムを用いることで行うことができる。
【００３７】
本発明のさまざまな特徴を実行するために必要な機能は、個別の論理要素、集積回路、１以上のＡＳＩＣｓ及び／又はプログラム制御されるプロセッサを含む広くさまざまな方法に用いられる構成要素により実行される。これらの構成要素を用いる方法は本発明にとって重要ではない。
【００３８】
本発明を実施するソフトウェアは、超音波から赤外周波数を含む範囲のスペクトルでのベースバンド通信経路又は変調通信経路のような機械的に読み取り可能なさまざまな媒体、又は、磁気テープ、磁気カード、磁気ディスク、光学カード又は光学ディスク、及び紙を含む媒体上の検出可能なマーキングを含んで、原則としてあらゆる記憶技術を含む、情報を伝達する記憶媒体により伝達することができる。
【図面の簡単な説明】
【００３９】
【図１】ディジタルシネマネットワークの概略ブロック図である。
【図２】ディジタルシネマ再生システムの概略ブロック図である。
【図３】ディジタルシネマ再生システムの概略ブロック図である。
【図４】ディジタルシネマ再生システムの概略ブロック図である。
【図５】ディジタルシネマ再生システムの概略ブロック図である。
【図６】再生システムネットワークにおけるサーバー装置とクライアント装置を操作する方法のステップを示す図である。
【図７】本発明の種々の特徴を実施するために用いることのできる装置の概略ブロック図である。
【図１】
2008506281.tif 000003
【図２】
2008506281.tif 000004
【図３】
2008506281.tif 000005
【図４】
2008506281.tif 000006
【図５】
2008506281.tif 000007
【図６】
2008506281.tif 000008
【図７】
2008506281.tif 000009
【国際調査報告】
2008506281.tif 000010
2008506281.tif 000011
2008506281.tif 000012